(57)【要約】【課題】本発明は、包装体および包装体付き光源装置に関し、光源装置の高い意匠性を維持できる包装体および包装体付き光源装置を得ることを目的とする。【解決手段】本発明に係る包装体は、第１方向に伸びる底板部と、前記底板部の前記第１方向と垂直な第２方向の両側の端部から上方に向かってそれぞれ伸びる一対の側壁部と、を備えた箱体と、前記底板部の上に設けられ、被支持物を支持する支持部と前記支持部を支持する複数の脚部とを有し、前記複数の脚部が前記複数の脚部よりも上方に前記支持部を保持している支持体と、を備える。【選択図】図１
2019026297.tif 000002
【特許請求の範囲】
【請求項１】
第１方向に伸びる底板部と、前記底板部の前記第１方向と垂直な第２方向の両側の端部から上方に向かってそれぞれ伸びる一対の側壁部と、を備えた箱体と、
前記底板部の上に設けられ、被支持物を支持する支持部と前記支持部を支持する複数の脚部とを有し、前記複数の脚部が前記複数の脚部よりも上方に前記支持部を保持している支持体と、
を備えることを特徴とする包装体。
【請求項２】
前記被支持物は光源装置であることを特徴とする請求項１に記載の包装体。
【請求項３】
前記支持部は、前記第１方向に伸びる稜部が形成されるように上に凸に屈曲し、
前記複数の脚部は、前記支持部の前記第１方向と垂直な第２方向の両側の端部であり、
前記複数の脚部は、前記稜部よりも前記第１方向に突出していることを特徴とする請求項１または２に記載の包装体。
【請求項４】
前記複数の脚部は、前記支持部の前記第１方向の両側で、前記稜部よりも前記第１方向に突出していることを特徴とする請求項３に記載の包装体。
【請求項５】
前記支持部は、前記稜部と前記複数の脚部との間に設けられた中間部を有し、
前記稜部は前記中間部よりも前記第１方向に突出していることを特徴とする請求項３または４に記載の包装体。
【請求項６】
前記支持体は前記第２方向の移動が妨げられていることを特徴とする請求項１〜５の何れか１項に記載の包装体。
【請求項７】
前記支持体は前記一対の側壁部または前記底板部によって、前記第２方向の移動が妨げられていることを特徴とする請求項６に記載の包装体。
【請求項８】
前記支持体の前記第２方向の幅は、前記底板部の前記第２方向の幅と等しいことを特徴とする請求項７に記載の包装体。
【請求項９】
前記底板部と前記一対の側壁部とが形成する複数の角によって、前記複数の脚部がそれぞれ保持されることを特徴とする請求項１〜８の何れか１項に記載の包装体。
【請求項１０】
請求項１〜９の何れか１項に記載の包装体と、
前記支持体に支持され、前記箱体に収納される光源装置と
を備えることを特徴とする包装体付き光源装置。
【請求項１１】
前記光源装置は、
光源と、
前記光源が設けられた内面部と、前記内面部と反対側の面である外面部と、を有するプレート部と、
前記光源が発する光を透過させるカバーと
を備え、
前記支持体は、前記カバーのうち前記内面部に対向する部分と離れていることを特徴とする請求項１０に記載の包装体付き光源装置。
【請求項１２】
前記光源装置は、
光源と、
前記光源が設けられた内面部と、前記内面部と反対側の面である外面部と、を有するプレート部と、
前記光源が発する光を透過させるカバーと、
前記プレート部よりも前記光源と反対側に突出した突設部と
を備え、
前記支持部は、前記外面部を前記支持部に向けた状態で前記突設部を支持することを特徴とする請求項１０または１１に記載の包装体付き光源装置。
【請求項１３】
前記突設部は、前記プレート部を照明器具に固定する連結具であることを特徴とする請求項１２に記載の包装体付き光源装置。
【請求項１４】
前記カバーは、前記カバーの短手方向の両端にそれぞれ設けられ、前記プレート部よりも前記光源と反対側に突出し、前記プレート部に前記カバーを固定する複数の突設端部を有し、
前記突設部は、前記複数の突設端部であることを特徴とする請求項１２に記載の包装体付き光源装置。
【請求項１５】
前記箱体は、前記底板部の前記第１方向の端部から上方に向かって伸びる端壁部を備え、
前記支持体は、前記突設部と前記端壁部とに挟まれることを特徴とする請求項１２〜１４の何れか１項に記載の包装体付き光源装置。
【請求項１６】
請求項３〜５の何れか１項に記載の包装体と、
前記支持体に支持され、前記箱体に収納される光源装置と
を備え、
前記光源装置は、
光源と、
前記光源が設けられた内面部と、前記内面部と反対側の面である外面部と、を有するプレート部と、
前記光源が発する光を透過させるカバーと、
前記プレート部を照明器具に固定する連結具と、
を備え、
前記連結具は、前記プレート部よりも前記光源と反対側に突出した板部を備え、
前記板部は、前記複数の脚部のうち前記稜部に対して前記第１方向に突出した部分の間に嵌め込まれ、
前記稜部は、前記光源装置を支持することを特徴とする包装体付き光源装置。
【請求項１７】
前記連結具は、前記外面部と対向し前記外面部に固定される固定部をさらに備え、
前記稜部は、前記固定部を支持することを特徴とする請求項１６に記載の包装体付き光源装置。
【発明の詳細な説明】
【技術分野】
【０００１】
本発明は、包装体および包装体付き光源装置に関する。
【背景技術】
【０００２】
特許文献１には、照明器具用の包装装置が開示されている。この包装装置では、緩衝体を用いることによって、落下時における衝撃を緩和している。
【先行技術文献】
【特許文献】
【０００３】
【特許文献１】特開２００４−１８９２９０号公報
【発明の概要】
【発明が解決しようとする課題】
【０００４】
しかしながら、特許文献１の包装装置では、照明器具の外観意匠部分に緩衝体が当接する。このため、外観意匠部分に緩衝体の圧接痕が付着する可能性がある。また、緩衝体の擦れによって外観意匠部分を傷付ける場合がある。さらに、外観意匠部分に塗装が施されている場合に、緩衝体が塗膜を剥離させるおそれがあった。
【０００５】
本発明は、上述の課題を解決するためになされたもので、光源装置の高い意匠性を維持できる包装体および包装体付き光源装置を得ることを目的とする。
【課題を解決するための手段】
【０００６】
本発明に係る包装体は、第１方向に伸びる底板部と、前記底板部の前記第１方向と垂直な第２方向の両側の端部から上方に向かってそれぞれ伸びる一対の側壁部と、を備えた箱体と、前記底板部の上に設けられ、被支持物を支持する支持部と前記支持部を支持する複数の脚部とを有し、前記複数の脚部が前記複数の脚部よりも上方に前記支持部を保持している支持体と、を備える。
【発明の効果】
【０００７】
本発明に係る包装体では、支持体が被支持物となる光源装置の外観意匠部分と接触せずに光源装置を支持する。従って、光源装置の高い意匠性を維持できる。
【図面の簡単な説明】
【０００８】
【図１】図１（ａ）は実施の形態１に係る包装体付き光源装置が組み立てられる前の状態を示す斜視図である。図１（ｂ）は実施の形態１に係る包装体付き光源装置が組み立てられた状態を示す斜視図である。
【図２】実施の形態１に係る包装体付き光源装置の断面図である。
【図３】実施の形態１に係る箱体の展開図である。
【図４】図４（ａ）は実施の形態１に係る支持体を上面側から見た斜視図である。図４（ｂ）は実施の形態１に係る支持体を下面側から見た斜視図である。
【図５】実施の形態１に係る支持体の展開図である。
【図６】実施の形態１に係る包装体の斜視図である。
【図７】図７（ａ）は実施の形態１に係る照明装置が組み立てられた状態を示す斜視図である。図７（ｂ）は実施の形態１に係る照明装置が組み立てられる前の状態を示す斜視図である。
【図８】実施の形態１に係る光源装置の斜視図である。
【図９】実施の形態１に係る連結具の斜視図である。
【図１０】実施の形態１に係る光源装置の取り付け方法を説明する図である。
【図１１】実施の形態１に係る包装体付き光源装置の断面図である。
【図１２】実施の形態１に係る支持部と連結具の斜視図である。
【図１３】実施の形態１に係る包装体付き光源装置の側面図である。
【図１４】図１４（ａ）は実施の形態２に係る支持体を上面側から見た斜視図である。図１４（ｂ）は実施の形態２に係る支持体を下面側から見た斜視図である。
【図１５】実施の形態２に係る支持体の展開図である。
【図１６】実施の形態２に係る包装体の斜視図である。
【図１７】実施の形態２に係る支持体と連結具の斜視図である。
【図１８】実施の形態３に係る支持体の斜視図である。
【図１９】実施の形態３に係る支持体の展開図である。
【図２０】実施の形態３に係る包装体の斜視図である。
【図２１】実施の形態３に係る包装体付き光源装置の断面図である。
【図２２】実施の形態３に係る支持体と連結具の斜視図である。
【発明を実施するための形態】
【０００９】
本発明の実施の形態に係る支持体、包装体および包装体付き光源装置について図面を参照して説明する。同じ又は対応する構成要素には同じ符号を付し、説明の繰り返しを省略する場合がある。また、実施の形態の説明において、上、下、左、右、前、後、表、裏といった配置および向き等は、便宜上設定したものであり、包装体、光源装置およびこれらを構成する部品等の配置および向き等を限定するものではない。包装体、光源装置およびこれらを構成する部品等の構成について、その材質、形状、大きさ等は、本発明の範囲内で適宜変更することができる。
【００１０】
実施の形態１．
図１（ａ）は実施の形態１に係る包装体付き光源装置１が組み立てられる前の状態を示す斜視図である。包装体付き光源装置１は、包装体１０と光源装置６０とを備える。光源装置６０は、光源を備えた光源ユニットである。包装体１０は、箱体１００と２つの支持体２００とを備える。各々の支持体２００は、板紙を折り曲げて形成される。板紙は段ボールである。支持体２００は、パルプモールドまたは樹脂材料等を用いて形成されても良い。
【００１１】
箱体１００は、光源装置６０を収納する包装箱である。箱体１００は、第１方向に伸びる底板部１０１を備える。第１方向は、矢印８１０に示される方向であり、箱体１００の長手方向である。箱体１００は、一対の側壁部１０２を備える。一対の側壁部１０２は、底板部１０１の第１方向と垂直な第２方向の両側の端部から上方に向かってそれぞれ伸びる。第２方向は、箱体１００の短手方向である。また、箱体１００は、底板部１０１の第１方向の端部から上方に向かって伸びる一対の端壁部１０５を備える。
【００１２】
底板部１０１、一対の側壁部１０２および一対の端壁部１０５は、上方に向かって開口した開口部を形成する。一対の側壁部１０２のうち一方の上端には、上蓋部１０３が設けられる。上蓋部１０３の側壁部１０２と反対側の端部からは、前蓋部１０４がさらに伸びる。
【００１３】
図１（ｂ）は実施の形態１に係る包装体付き光源装置１が組み立てられた状態を示す斜視図である。上蓋部１０３は、底板部１０１、一対の側壁部１０２および一対の端壁部１０５が形成する開口部を塞ぐ。包装体付き光源装置１が組み立てられた状態において、前蓋部１０４は、一対の側壁部１０２のうち上蓋部１０３が設けられていない側の側壁部１０２を覆う。
【００１４】
図２は、実施の形態１に係る包装体付き光源装置１の断面図である。図２では、便宜上一対の側壁部１０２が省略されている。また、図２は、上蓋部１０３が開いた状態を示す。２つの支持体２００は底板部１０１の上に設けられる。２つの支持体２００は、箱体１００の第１方向の両側にそれぞれ設けられる。２つの支持体２００は、一対の端壁部１０５にそれぞれ接する。光源装置６０は、２つの支持体２００に支持され、箱体１００に収納される。光源装置６０が包装体１０に収納された状態では、光源装置６０の長手方向は第１方向となる。また、光源装置６０の短手方向は第２方向となる。
【００１５】
図３は、実施の形態１に係る箱体１００の展開図である。底板部１０１の第２方向の両側の端部からは、一対の側壁部１０２が伸びる。一対の側壁部１０２は、それぞれ折線１２４、１２５を介し、底板部１０１と連なっている。また、折線１２４、１２５上には、複数の切断溝１４０が設けられている。
【００１６】
一対の側壁部１０２のうち一方からは上蓋部１０３が伸びる。上蓋部１０３は、側壁部１０２の底板部１０１と反対側の端部に連なる。上蓋部１０３は、折線１３２を介して側壁部１０２と連なっている。折線１３２上には、複数の切断溝１４０が設けられる。上蓋部１０３の折線１３２と反対側の端部からは、前蓋部１０４が伸びる。前蓋部１０４は、折線１３３を介して上蓋部１０３と連なっている。折線１３３上には、複数の切断溝１４０が設けられる。
【００１７】
底板部１０１の第１方向の両側の端部には、一対の外端壁部１０６がそれぞれ設けられる。一対の外端壁部１０６はそれぞれ折線１２６、１２９を介して底板部１０１と連なる。底板部１０１の第１方向の両側の端部には、２つの第２スリット１５３がそれぞれ設けられる。
【００１８】
一対の外端壁部１０６の底板部１０１と反対側の端部には、一対の内端壁部１０７がそれぞれ設けられる。一対の内端壁部１０７の一方は折線１２７、１２８を介して、一対の外端壁部１０６の一方と連なる。一対の内端壁部１０７の他方は折線１３０、１３１を介して、一対の外端壁部１０６の他方と連なる。折線１２７、１２８の間と、折線１３０、１３１の間には、２つの第１スリット１５２がそれぞれ設けられる。
【００１９】
各々の側壁部１０２の第１方向の両側の端部には、一対の中端壁部１０８がそれぞれ設けられる。つまり、箱体１００は二対の中端壁部１０８を備える。一対の側壁部１０２のうち上蓋部１０３が設けられた側には、一対の中端壁部１０８がそれぞれ折線１２２、１２３を介して連なる。一対の側壁部１０２のうち上蓋部１０３が設けられない側には、一対の中端壁部１０８がそれぞれ折線１２０、１２１を介して連なる。
【００２０】
箱体１００が展開された状態で、各々の中端壁部１０８は、一対の外端壁部１０６のうち何れか一方と隣接する。各々の中端壁部１０８の、隣接する外端壁部１０６と反対側の端部には、第１差込片１５０が設けられる。一対の内端壁部１０７の一対の外端壁部１０６と反対側の端部には、一対の第２差込片１５１がそれぞれ設けられる。
【００２１】
箱体１００の第１方向の各々の端部において、外端壁部１０６、内端壁部１０７、２つの中端壁部１０８は、端壁部１０５を構成する。箱体１００が組み立てられた状態において、内端壁部１０７は外端壁部１０６よりも内側に折り込まれる。また、外端壁部１０６と内端壁部１０７との間に、２つの中端壁部１０８が折り込まれる。さらに、２つの中端壁部１０８にそれぞれ設けられた２つの第１差込片１５０は、第１スリット１５２に差し込まれる。また、第２差込片１５１は第２スリット１５３に差し込まれる。
【００２２】
図４（ａ）は実施の形態１に係る支持体２００を上面側から見た斜視図である。図４（ｂ）は実施の形態１に係る支持体２００を下面側から見た斜視図である。包装体１０が備える２つの支持体２００の構造は同じである。支持体２００の上面は、光源装置６０を支持する面である。支持体２００の下面は、上面と反対側の面である。支持体２００は、被支持物を支持する支持部２０１を備える。本実施の形態では、被支持物は光源装置６０である。支持体２００は、支持部２０１を支持する複数の脚部２０２を備える。複数の脚部２０２は、複数の脚部２０２よりも上方に支持部２０１を保持する。
【００２３】
支持部２０１は、第１方向に伸びる稜部２０６が形成されるように上に凸に屈曲している。また、複数の脚部２０２は、支持部２０１の第２方向の両側の端部である。複数の脚部２０２は、稜部２０６よりも第１方向に突出している。つまり、支持体２００の第１方向の端部には、凹部２０８が設けられる。
【００２４】
図５は、実施の形態１に係る支持体２００の展開図である。支持体２００の第２方向の中心部には、第１方向に沿った折線２０４が設けられる。折線２０４で支持体２００を折り曲げることで、稜部２０６が形成される。
【００２５】
図６は、実施の形態１に係る包装体１０の斜視図である。２つの支持体２００は、箱体１００の第１方向の両側の端部にそれぞれ設けられる。２つの支持体２００は、一対の端壁部１０５とそれぞれ接する。各々の支持体２００において、複数の脚部２０２は第１方向に沿って伸びる。支持体２００の第２方向の幅は、底板部１０１の第２方向の幅と等しい。このため、支持体２００は第２方向の移動が妨げられている。底板部１０１と一対の側壁部１０２とが形成する複数の角によって、複数の脚部２０２がそれぞれ保持される。これにより、支持体２００の屈曲した状態が保持される。
【００２６】
図７（ａ）は実施の形態１に係る照明装置６が組み立てられた状態を示す斜視図である。照明装置６は、照明器具７０と光源装置６０とを備える。照明装置６は、長尺状であり長手方向に伸びる。また、光源装置６０、照明器具７０も同様に長手方向に伸びる。照明装置６、光源装置６０、照明器具７０の長手方向は、互いに平行である。光源装置６０は照明器具７０に取り付けられている。照明装置６は、造営部９に取り付けられている。造営部９は例えば天井または壁である。
【００２７】
照明器具７０は、短手方向の両側に一対の外観主部７０１をそれぞれ備える。一対の外観主部７０１は長手方向に伸びる。一対の外観主部７０１の間には、光源装置６０が取り付けられる。一対の外観主部７０１は、照明器具７０が光源装置６０から離れるほど薄くなるように傾斜している。照明器具７０の長手方向の両端には一対の器具端部７１０がそれぞれ設けられる。一対の器具端部７１０は造営部９と垂直に設けられる。
【００２８】
図７（ｂ）は実施の形態１に係る照明装置６が組み立てられる前の状態を示す斜視図である。照明器具７０は、一対の外観主部７０１の間に長手方向に伸びる凹部７０２を備える。凹部７０２には、光源装置６０が収容される。凹部７０２の底面部７０３には、端子台７４０と、器具側電源線７５０と、２つのバネ７２０とが設けられる。２つのバネ７２０は、底面部７０３の長手方向の両側にそれぞれ設けられる。端子台７４０は、光源装置６０と接続される電源線または信号線の端子台である。器具側電源線７５０は端子台７４０と接続される。
【００２９】
光源装置６０は、光源が発する光を透過させるカバー６２０を備える。カバー６２０は光源装置６０の長手方向に伸びる。カバー６２０はカバー主部６２１を備える。カバー主部６２１は光源の発光面と対向する。カバー主部６２１の短手方向の両側からは、一対のカバー側部６２２がそれぞれ伸びる。一対のカバー側部６２２は、照明器具７０に向かって伸びる。また、カバー６２０は、長手方向の両側に一対のカバー端部６２７をそれぞれ備える。カバー６２０の長手方向の両端は、一対のカバー端部６２７によってそれぞれ覆われる。
【００３０】
各々のバネ７２０は板バネである。バネ７２０は、照明器具７０の長手方向に伸びる。バネ７２０は照明器具７０の底面部７０３にネジで固定されている。
【００３１】
図示は省略するが、バネ７２０は、ネジ穴が設けられ底面部７０３に固定されるバネ固定部、バネ固定部から湾曲して伸び弾性力を有するバネ主部、および、バネ主部の先端部が折り曲げられたバネ先端部を備える。
【００３２】
図８は、実施の形態１に係る光源装置６０の斜視図である。光源装置６０は、プレート部６００を備える。プレート部６００は、光源装置６０の長手方向に伸びる。プレート部６００は板状である。プレート部６００は、光源が設けられた内面部と、内面部と反対側の面である外面部６０２とを有する。内面部は、カバー主部６２１と対向する面である。
【００３３】
プレート部６００の外面部６０２には、電源ユニット６６０が設けられる。電源ユニット６６０は電源基板を備える。電源基板には、光源に電源を供給し、光源を点灯させる点灯回路が設けられる。電源基板は電源ケース６６２に収納される。また、外面部６０２には、配線クランプ６９０〜６９２、給電線６８１、光源側電源線６８０が設けられる。給電線６８１は、光源と電源ユニット６６０とを電気的に接続する。光源側電源線６８０は、電源ユニット６６０と照明器具７０とを電気的に接続する。
【００３４】
光源装置６０は、２つの連結具６３０を備える。２つの連結具６３０は、プレート部６００に設けられ、プレート部６００を照明器具７０に固定する。２つの連結具６３０は、外面部６０２の長手方向の両側にそれぞれ設けられる。２つの連結具６３０は、２つのバネ７２０とそれぞれ接続される。２つの連結具６３０は、２つのバネ７２０に対応する位置にそれぞれ設けられる。各々の連結具６３０は、プレート部６００よりも光源と反対側に突出した突設部となる。
【００３５】
図９は、実施の形態１に係る連結具６３０の斜視図である。各々の連結具６３０は、プレート部６００よりも光源と反対側に突出した板部６３１を備える。板部６３１は、外面部６０２と垂直に、第２方向に沿って設けられる。板部６３１には貫通孔６３４が設けられる。貫通孔６３４には、バネ７２０が差し込まれる。連結具６３０は、板部６３１のプレート部６００と反対側の端部から突出した上端部６３５を備える。上端部６３５は、板部６３１よりも幅が狭い。上端部６３５は、板部６３１と同様に第２方向に沿って設けられる。
【００３６】
連結具６３０は、板部６３１の第２方向の両側にそれぞれ設けられ、プレート部６００よりも光源と反対側に突出した複数の側部６３６を備える。複数の側部６３６は、外面部６０２と垂直に、第１方向に沿って設けられる。複数の側部６３６は、板部６３１から第１方向に離れるほど外面部６０２からの高さが低くなる。また、各々の側部６３６は、板部６３１と隣接する位置に、固定部６３８からの高さが一定となる均厚部６３６２を有する。
【００３７】
連結具６３０は、外面部６０２と対向し外面部６０２に固定される固定部６３８をさらに備える。固定部６３８は図示しない固定具を備える。固定部６３８は固定具で外面部６０２に固定される。固定具は、例えばネジである。固定部６３８にはネジ孔６３９が設けられる。外面部６０２には、取り付け部６０５が設けられる。取り付け部６０５にはネジ孔６０６が設けられる。連結具６３０は、ネジ孔６３９とネジ孔６０６が重なるように配置される。
【００３８】
各々の側部６３６の下端からは水平部６３６０が伸びる。水平部６３６０は外側に向かって第２方向に伸びる。水平部６３６０には下方に向かって突出した凸部６３６１が設けられる。凸部６３６１は、外面部６０２に設けられた溝６０７に嵌め込まれる。
【００３９】
図１０は、実施の形態１に係る光源装置６０の取り付け方法を説明する図である。照明器具７０は造営部９に取り付けられている。連結具６３０には、バネ７２０が引っ掛けられる。このとき、板部６３１に設けられた貫通孔６３４に、バネ先端部が引っ掛けられる。これにより、バネ７２０は、光源装置６０をバネ主部の弾性力によって照明器具７０の方向に引っ張る。従って、光源装置６０は照明器具７０に着脱可能に取り付けられる。また、バネ７２０は、照明器具７０の短手方向に対する光源装置６０の位置を決める。
【００４０】
図１１は、実施の形態１に係る包装体付き光源装置１の断面図である。光源装置６０は、光源６１１を備える。光源６１１は、例えばＬＥＤ等の発光素子である。光源６１１は、固体レーザまたは有機ＥＬ等であってもよい。カバー６２０は、光源６１１の光出射方向に、光源６１１を覆うように設けられる。
【００４１】
光源６１１は光源基板６１０に実装されている。光源基板６１０は、プレート部６００の内面部６０３に取り付けられる。光源基板６１０として、リジット基板またはフレキシブル基板等を用いても良い。光源基板６１０には、パッケージングされた発光素子が実装されていても良い。また、光源基板６１０には、ＣＯＢ（Ｃｈｉｐ  Ｏｎ  Ｂｏａｒｄ）またはＣＯＧ（Ｃｈｉｐ  Ｏｎ  Ｇｌａｓｓ）などが用いられてもよい。
【００４２】
プレート部６００は、一対のプレート側壁部６０４を備える。一対のプレート側壁部６０４は、外面部６０２の短手方向の両側の端部から、光源６１１と反対側に突出する。カバー６２０は、カバー６２０の短手方向の両端にそれぞれ設けられ、プレート部６００よりも光源６１１と反対側に突出した複数の突設端部６２４を有する。複数の突設端部６２４は、一対のプレート側壁部６０４を保持する。これにより、複数の突設端部６２４は、プレート部６００をカバー６２０に固定する。また、連結具６３０は固定具６５０で外面部６０２と固定されている。
【００４３】
支持体２００は、光源装置６０を複数の脚部２０２よりも上方に保持する。支持部２０１は、外面部６０２を支持部２０１に向けた状態で、突設部である連結具６３０を支持する。光源装置６０が包装体１０に収納された状態では、２つの支持体２００が２つの連結具６３０をそれぞれ支持する。
【００４４】
各々の連結具６３０の板部６３１は、複数の脚部２０２のうち稜部２０６に対して第１方向に突出した部分の間に嵌め込まれる。つまり、板部６３１は凹部２０８に差し込まれる。これにより、稜部２０６が固定部６３８と接触する。稜部２０６は、固定部６３８を支持する。従って、稜部２０６は光源装置６０を支持する。なお、本実施の形態では、稜部２０６は固定部６３８のうち固定具６５０と接触する。これに限らず、稜部２０６は固定具６５０以外の部分と接触しても良い。
【００４５】
また、支持体２００は、カバー６２０のうち内面部６０３に対向する部分と離れている。カバー６２０のうち内面部６０３に対向する部分は、カバー主部６２１、一対のカバー側部６２２および一対のカバー端部６２７である。カバー主部６２１、一対のカバー側部６２２および一対のカバー端部６２７は、光源装置６０が照明器具７０に接続された状態で、外部に露出する外観意匠部分である。
【００４６】
図１２は、実施の形態１に係る支持部２０１と連結具６３０の斜視図である。凹部２０８に板部６３１が差し込まれることで、凹部２０８の第２方向に沿った側面２０８０と、板部６３１とが接触する。また、底板部１０１と連結具６３０との間には隙間が設けられる。従って、光源装置６０は底板部１０１と離れている。
【００４７】
図１３は、実施の形態１に係る包装体付き光源装置１の側面図である。均厚部６３６２は支持部２０１と接する。このため、複数の側部６３６は稜部２０６の両側で支持部２０１とそれぞれ接触する。従って、光源装置６０は支持体２００によって安定して支持される。
【００４８】
支持体２００は、突設部である連結具６３０と端壁部１０５とに挟まれる。これにより、支持体２００の第１方向の移動が防止される。従って、光源装置６０が箱体１００の中で第１方向に移動することを防止できる。また、光源装置６０は端壁部１０５と離れている。さらに、光源装置６０は上蓋部１０３と離れている。なお、図１１は、図１３を破線８０２に沿って切断し、矢印８０１に示される方向から見た場合の断面図である。
【００４９】
本実施の形態に係る包装体付き光源装置１では、支持体２００が外観意匠部分となるカバー主部６２１、一対のカバー側部６２２および一対のカバー端部６２７に接しない。このため、支持体２００によって、光源装置６０の外観意匠部分に圧接痕または傷が付くことを防止できる。従って、光源装置６０の外観意匠部分の意匠性が損なわれることを防止し、高い意匠性を維持できる。
【００５０】
また、本実施の形態では、包装体１０は外観意匠部分と離れて設けられる。従って、さらに確実に、光源装置６０の意匠性が損なわれることを防止できる。また、本実施の形態では、支持体２００は、カバー６２０の光源６１１からの光が出射される部分と離間して設けられる。これにより、高い意匠性の維持に加えて、照明装置６の点灯時の光学性能も維持することが可能になる。
【００５１】
また、支持部２０１は、底板部１０１から離れた位置を経由して、複数の脚部２０２同士を繋ぐように形成される。このため、支持部２０１は、複数の脚部２０２よりも上方に設けられる。また、図１１に示されるように、底板部１０１と光源装置６０との間には隙間が設けられる。これにより、支持体２００は、輸送時に想定される振動または衝撃から光源装置６０を保護する緩衝体として機能する。従って、包装体１０の耐衝撃性および耐積圧性を向上できる。この変形例として、光源装置６０と底板部１０１とは接していても良い。
【００５２】
さらに、図１３に示されるように、光源装置６０は端壁部１０５と離れている。これにより、落下などにより光源装置６０が受ける衝撃をさらに抑制できる。
【００５３】
また、本実施の形態の支持体２００は、凹部２０８を設けた１枚の板紙を折り畳むことで形成される。従って、容易に支持体２００が得られ、包装体１０の製造コストを低減できる。また、本実施の形態では包装体１０の構造を簡易化できる。また、光源装置６０を支持体２００の上に搭載するのみで、支持体２００により光源装置６０を支持できる。従って、光源装置６０の包装工程を簡易化できる。これにより、包装工程の自動化が可能になる。
【００５４】
また、包装体１０の構造を簡易化することにより、包装体１０を低容積化できる。特に、凹部２０８に連結具６３０が差し込まれるため、包装体付き光源装置１の高さを低減できる。従って、多数の包装体付き光源装置１を積み重ねて、輸送または保管することが可能になる。従って、包装体付き光源装置１の輸送または保管の効率を向上できる。
【００５５】
また、本実施の形態の包装体付き光源装置１では、光源装置６０を包装体１０から容易に取り出すことができる。さらに、包装体１０の構造が簡易であるため、包装体１０の廃棄を容易にできる。従って、光源装置６０を照明器具７０に取り付ける施工時の作業を軽減できる。
【００５６】
さらに、箱体１００と支持体２００とは、段ボールから形成される。包装体１０の材料が統一されているため、廃棄時に箱体１００と支持体２００とを分別する必要がない。従って、包装体１０の廃棄が容易になる。また、包装体１０の省資源化が可能になる。
【００５７】
本実施の形態では、底板部１０１と一対の側壁部１０２とが形成する複数の角によって、複数の脚部２０２がそれぞれ保持される。これにより、支持体２００の第２方向の移動または変形が妨げられている。これに限らず、包装体１０は、支持体２００の第２方向の移動または変形を妨げる別の構造を備えても良い。例えば、支持体２００は一対の側壁部１０２または底板部１０１によって、第２方向の移動が妨げられても良い。また、底板部１０１に、支持体２００の複数の脚部２０２を固定する構造が設けられても良い。この場合、底板部１０１が支持体２００の第２方向の移動または変形を妨げる。このとき、箱体１００の第２方向の幅は、支持体２００の第２方向の幅より大きくても良い。
【００５８】
本実施の形態に係る包装体１０には、２つの支持体２００が設けられた。これに限らず、包装体１０は１つ以上の支持体２００を備えれば良い。また、支持体２００は、連結具６３０以外の箇所を支持しても良い。支持体２００が支持する箇所は、プレート部６００よりも光源６１１と反対側に突出した突設部であれば良い。また、支持体２００の稜部２０６は固定部６３８を支持するものとしたが、稜部２０６は固定部６３８以外を支持しても良い。例えば、稜部２０６は外面部６０２を支持しても良い。
【００５９】
また、本実施の形態の包装体１０は、光源装置６０以外の製品を収納する用途に用いられても良い。また、支持体２００は光源装置６０以外の製品を支持する用途に用いられても良い。
【００６０】
本実施の形態の変形例として、複数の脚部２０２は、支持部２０１の第１方向の両側で、稜部２０６よりも第１方向に突出していても良い。つまり、支持体２００の第１方向の両側の端部には、複数の凹部２０８がそれぞれ設けられる。本変形例では、支持体２００の向きを考慮せずに、包装体の組み立てが可能となる。このため、光源装置６０の包装工程をさらに簡易化できる。これにより、包装工程を自動化し易くなる。
【００６１】
これらの変形は以下の実施の形態に係る支持体、包装体および包装体付き光源装置について適宜応用することができる。なお、以下の実施の形態に係る支持体、包装体および包装体付き光源装置については実施の形態１との共通点が多いので、実施の形態１との相違点を中心に説明する。
【００６２】
実施の形態２．
図１４（ａ）は実施の形態２に係る支持体２００ａを上面側から見た斜視図である。図１４（ｂ）は実施の形態２に係る支持体２００ａを下面側から見た斜視図である。図１５は、実施の形態２に係る支持体２００ａの展開図である。支持体２００ａにおいて、支持部２０１ａは、第１方向に伸びる稜部２０６ａが形成されるように上に凸に屈曲している。また、複数の脚部２０２は、稜部２０６ａよりも第１方向に突出している。つまり、支持体２００ａの第１方向の端部には、凹部２０８ａが設けられる。
【００６３】
さらに、支持部２０１ａは、稜部２０６ａと複数の脚部２０２との間に設けられた中間部２０８２を有する。稜部２０６ａは中間部２０８２よりも第１方向に突出している。凹部２０８ａの第１方向の深さは、中間部２０８２において稜部２０６ａよりも深い。凹部２０８ａの第１方向の深さは、凹部２０８ａの第２方向の端部に近づくほど深い。
【００６４】
図１６は、実施の形態２に係る包装体１０ａの斜視図である。包装体１０ａは、箱体１００と、支持体２００ａとを備える。図１７は、実施の形態２に係る支持体２００ａと連結具６３０の斜視図である。実施の形態１と同様に、板部６３１は凹部２０８ａに差し込まれる。これにより、稜部２０６ａが光源装置６０を支持する。また、支持部２０１ａは、中間部２０８２において稜部２０６ａよりも深く切り欠かれている。中間部２０８２は、連結具６３０の複数の側部６３６に対応する位置に設けられる。各々の側部６３６は、中間部２０８２に収納される。
【００６５】
本実施の形態では、支持部２０１ａに中間部２０８２が設けられることで、複数の側部６３６が支持部２０１ａと擦れ合うことを防止できる。従って、支持体２００ａから異物となる擦れ片が発生することを防止できる。擦れ片は、支持体２００ａの欠片または細かい繊維状の塵である。従って、光源装置６０への異物の付着を防止し、高い意匠性を維持できる。
【００６６】
本実施の形態では、凹部２０８ａの第１方向の深さは、稜部２０６ａから離れるほど深くなる。これに限らず、支持部２０１ａは、稜部２０６ａが中間部２０８２よりも第１方向に突出していれば良い。
【００６７】
本実施の形態の変形例として、支持体２００ａにおいて、稜部２０６ａは、支持部２０１ａの第１方向の両側で、中間部２０８２よりも第１方向に突出していても良い。つまり、支持体２００ａの第１方向の両側の端部には、複数の凹部２０８ａがそれぞれ設けられる。変形例では、光源装置６０の包装工程をさらに簡易化できる。
【００６８】
実施の形態３．
図１８は、実施の形態３に係る支持体２００ｄの斜視図である。図１９は、実施の形態３に係る支持体２００ｄの展開図である。支持体２００ｄにおいて、支持部２０１ｄは、第１方向に伸びる谷部２２２が形成されるように下に凸に屈曲する。支持体２００ｄは複数の脚部２０２ｄを備える。複数の脚部２０２ｄは、支持部２０１ｄの第２方向の両側から、下方に向かってそれぞれ伸びる。ここで、下方は支持部２０１ｄに対して底板部１０１が設けられる側である。
【００６９】
図２０は、実施の形態３に係る包装体１０ｄの斜視図である。包装体１０ｄは、箱体１００と、支持体２００ｄとを備える。支持体２００ｄは第１方向に沿って伸びる。支持体２００ｄの第２方向の幅は、底板部１０１の第２方向の幅と等しい。
【００７０】
図２１は、実施の形態３に係る包装体付き光源装置１ｄの断面図である。包装体付き光源装置１ｄは、包装体１０ｄと光源装置６０とを備える。複数の脚部２０２ｄは、底板部１０１の上面と垂直に伸びる。複数の脚部２０２ｄは、底板部１０１と接触している。複数の脚部２０２ｄは、一対の側壁部１０２に沿ってそれぞれ設けられる。支持体２００ｄは第１方向から見てＭ字型である。また、谷部２２２と底板部１０１との間には隙間が設けられる。
【００７１】
支持部２０１ｄは、外面部６０２を支持部２０１ｄに向けた状態で、谷部２２２の両側で光源装置６０の複数の突設端部６２４をそれぞれ支持する。本実施の形態では、支持部２０１ｄが支持する突設部は、複数の突設端部６２４である。光源装置６０は、支持体２００ｄによって底板部１０１よりも上方に保持される。
【００７２】
複数の突設端部６２４は、カバー側部６２２と反対側の端部に、カバー６２０の内側に向かって湾曲した複数の湾曲部６２４０をそれぞれ備える。また、プレート部６００の外面部６０２の第２方向の両側には、複数の腕部６０９がそれぞれ設けられる。複数の腕部６０９は、プレート側壁部６０４よりも内側に設けられる。複数の腕部６０９は、外面部６０２から光源６１１と反対側に突出するように伸びる。
【００７３】
各々の腕部６０９の外面部６０２と反対側の端部６０９０は、外側に向かって湾曲する。端部６０９０は、隣接する湾曲部６２４０の外面部６０２と反対側の面に沿って湾曲する。湾曲部６２４０は、端部６０９０によって保持される。支持部２０１ｄが支持する突設部は、端部６０９０であっても良い。
【００７４】
支持部２０１ｄは、谷部２２２の両側の２つの斜面から構成される。光源装置６０は、２つの斜面によって複数の突設端部６２４をそれぞれ保持される。このため、光源装置６０が包装体１０ｄの中で第２方向に移動することが妨げられる。
【００７５】
図２２は、実施の形態３に係る支持体２００ｄと連結具６３０の斜視図である。連結具６３０の板部６３１は、支持部２０１ｄの第２方向に沿った側面２０３ｄに沿って設けられる。板部６３１は、支持部２０１ｄよりも下方に突出する。
【００７６】
本実施の形態においても、支持体２００ｄは外観意匠部分となるカバー主部６２１、一対のカバー側部６２２および一対のカバー端部６２７に接しない。従って、光源装置６０の高い意匠性を維持できる。また、図２１に示されるように、底板部１０１と光源装置６０との間には隙間が設けられる。さらに、谷部２２２と底板部１０１との間にも隙間が設けられる。従って、包装体１０ｄの耐衝撃性および耐積圧性を向上できる。
【００７７】
また、本実施の形態では支持部２０１ｄに実施の形態１のような凹部を設ける必要がない。このため、支持体２００ｄを容易に製造できる。さらに、支持体２００ｄの形状は、第２方向に沿った中心線に対して左右対称である。このため、支持体２００ｄの向きを考慮せずに、包装体１０ｄの組み立てが可能となる。従って、光源装置６０の包装工程をさらに簡易化できる。
【００７８】
また、包装体付き光源装置１ｄでは、板部６３１が支持部２０１ｄよりも下方に突出するように光源装置６０が包装される。このため、包装体付き光源装置１の高さを低減できる。従って、包装体付き光源装置１ｄの輸送または保管の効率を向上できる。
【００７９】
本実施の形態の変形例として、支持部２０１ｄは、谷部２２２の両側で複数の側部６３６を支持しても良い。また、支持部２０１ｄは、複数の突設端部６２４と複数の側部６３６の両方を支持しても良い。この場合、支持部２０１ｄは、光源装置６０を安定して支持できる。
【００８０】
本実施の形態の別の変形例として、支持部２０１ｄは湾曲していても良い。つまり、支持部２０１ｄは第１方向から見てＵ字型であっても良い。この場合、支持部２０１ｄには谷部２２２が形成されない。
【００８１】
実施の形態４．
変形例を含む実施の形態１〜３の支持体は、箱体１００と一体化されていても良い。
【００８２】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００８３】
１、１ｄ  包装体付き光源装置、１０、１０ａ、１０ｄ  包装体、  １００  箱体、１０１  底板部、１０２  側壁部、１０３  上蓋部、１０４  前蓋部、１０５  端壁部、１０６  外端壁部、１０７  内端壁部、１０８  中端壁部、１２０〜１３３  折線、１４０  切断溝、１５０  第１差込片、１５１  第２差込片、１５２  第１スリット、１５３  第２スリット、２００、２００ａ、２００ｄ  支持体、２０１、２０１ａ、２０１ｄ  支持部、２０２、２０２ｄ  脚部、２０３ｄ  側面、２０４  折線、２０６、２０６ａ  稜部、２０８、２０８ａ  凹部、２０８０  側面、２０８２  中間部、２２２  谷部、６  照明装置、６０  光源装置、６００  プレート部、６０２  外面部、６０３  内面部、６０４  プレート側壁部、６０５  取り付け部、６０６  ネジ孔、６０９  腕部、６１０  光源基板、６１１  光源、６２０  カバー、６２１  カバー主部、６２２  カバー側部、６２４  突設端部、６２４０  湾曲部、６２７  カバー端部、６３０  連結具、６３１  板部、６３４  貫通孔、６３５  上端部、６３６  側部、６３６０  水平部、６３６１  凸部、６３６２  均厚部、６３８  固定部、６５０  固定具、６６０  電源ユニット、６６２  電源ケース、６８０  光源側電源線、６８１  給電線、６９０〜６９２  配線クランプ、７０  照明器具、７０１  外観主部、７０２  凹部、７０３  底面部、７１０  器具端部、７２０  バネ、７４０  端子台、７５０  器具側電源線、９  造営部
【図１】
2019026297.tif 000003
【図２】
2019026297.tif 000004
【図３】
2019026297.tif 000005
【図４】
2019026297.tif 000006
【図５】
2019026297.tif 000007
【図６】
2019026297.tif 000008
【図７】
2019026297.tif 000009
【図８】
2019026297.tif 000010
【図９】
2019026297.tif 000011
【図１０】
2019026297.tif 000012
【図１１】
2019026297.tif 000013
【図１２】
2019026297.tif 000014
【図１３】
2019026297.tif 000015
【図１４】
2019026297.tif 000016
【図１５】
2019026297.tif 000017
【図１６】
2019026297.tif 000018
【図１７】
2019026297.tif 000019
【図１８】
2019026297.tif 000020
【図１９】
2019026297.tif 000021
【図２０】
2019026297.tif 000022
【図２１】
2019026297.tif 000023
【図２２】
2019026297.tif 000024